(57)【要約】【課題】  ２つ以上の計測対象が、同時に作業を開始し、個々に作業を終了する場合において、計測対象の各々が要した作業時間を、簡単且つ正確に測定できる、時間測定装置を提供すること。【解決手段】  本発明の時間測定装置は、入力手段２から作業開始が入力されると、経過時間計測手段５１が、時間の計測を開始して経過時間を計測し続け、経過時間表示手段５２が、経過時間計測手段により計測される時間を、出力手段３に表示させる。更に、入力手段２から作業終了が入力される毎に、作業時間取得手段６１が、該入力の受付順位を取得すると共に、作業開始から当該入力時点までの時間を、当該計測対象が要した作業時間として、経過時間計測手段５１から取得し、第１作業時間表示手段６２が、作業時間取得手段６１により取得された作業時間を、受付順に並べて出力手段３に表示させる。【選択図】図１
2006078207.tif 000002
【特許請求の範囲】
【請求項１】
２つ以上の計測対象が、同時に作業を開始し、個々に作業を終了する場合において、計測対象の各々が要した作業時間を、測定するために、コンピュータを、特定の手段として機能させる、時間測定プログラムであって、
上記特定の手段が、
入力手段からの作業開始の入力を受けると、時間の計測を開始して経過時間を計測し続ける、経過時間計測手段と、
経過時間計測手段により計測される時間を、出力手段に表示させる、経過時間表示手段と、
入力手段からの作業終了の入力を受ける毎に、該入力の受付順位を取得すると共に、作業開始から当該入力時点までの時間を、当該計測対象が要した作業時間として、経過時間計測手段から取得する、作業時間取得手段と、
作業時間取得手段により取得された作業時間を、受付順に並べて出力手段に表示させる、第１作業時間表示手段と、であることを特徴とする時間測定プログラム。
【請求項２】
２つ以上の計測対象が、同時に作業を開始し、個々に作業を終了する場合において、計測対象の各々が要した作業時間を、測定するための、特定の手段を備えた、時間測定装置であって、
上記特定の手段が、
入力手段からの作業開始の入力を受けると、時間の計測を開始して経過時間を計測し続ける、経過時間計測手段と、
経過時間計測手段により計測される時間を、出力手段に表示させる、経過時間表示手段と、
入力手段からの作業終了の入力を受ける毎に、該入力の受付順位を取得すると共に、作業開始から当該入力時点までの時間を、当該計測対象が要した作業時間として、経過時間計測手段から取得する、作業時間取得手段と、
作業時間取得手段により取得された作業時間を、受付順に並べて出力手段に表示させる、第１作業時間表示手段と、であることを特徴とする時間測定装置。
【請求項３】
上記特定の手段が、更に、
作業時間取得手段で取得されたばかりの現在の受付順位及び作業時間と、その直前に取得されていた受付順位及び作業時間とを、第１作業時間表示手段による表示とは区別して、出力手段に表示させる、第２作業時間表示手段である、請求項１又は２に記載の時間測定プログラム又は時間測定装置。
【請求項４】
上記特定の手段が、更に、
全計測対象について取得された受付順位及び作業時間からなる測定データを、該測定データが得られる毎に、作業時間取得手段から取得して、記憶手段に自動的に記憶させるものであって、そのような測定データを、漸次更新しながら、２以上の所定個数だけ記憶手段に記憶させる、第１記憶制御手段である、請求項１又は２に記載の時間測定プログラム又は時間測定装置。
【請求項５】
上記特定の手段が、更に、
入力手段からの呼出命令の入力を受けると、第１記憶制御手段によって記憶手段に記憶された測定データを、呼び出して出力手段に表示させる、データ表示手段である、請求項４記載の時間測定プログラム又は時間測定装置。
【請求項６】
上記特定の手段が、更に、
入力手段からの記憶命令の入力を受けると、全計測対象について取得された受付順位及び作業時間からなる測定データを、作業時間取得手段から取得して、記憶手段に記憶させる、第２記憶制御手段である、請求項１又は２に記載の時間測定プログラム又は時間測定装置。
【請求項７】
少なくとも、作業開始の入力と、個々の作業終了の入力とを、ポインタを所定位置に合わせることなく、マウスをクリックするだけで、実行させる、請求項１又は２に記載の時間測定プログラム又は時間測定装置。
【発明の詳細な説明】
【技術分野】
【０００１】
本発明は、２つ以上の計測対象が、同時に作業を開始し、個々に作業を終了する場合において、計測対象の各々が要した作業時間を、測定するための、時間測定プログラム及び時間測定装置に関するものである。
【背景技術】
【０００２】
近年、学校では、生徒に一斉に計算問題を解かせ、そのスピードを競わせることにより、生徒の計算能力を向上させる教育が行われている。その場合には、教師がストップウォッチを持ち、解き終えた生徒に対して、教師がストップウォッチの表示時間を読み上げることにより、計算に要した生徒各々の時間を測定していた。また、多数の陸上長距離選手が同時にスタートして個々にゴールする場合にも、同様に、コーチがストップウォッチの表示時間を読み上げることにより、走るのに要した選手各々の時間を測定していた。例えば、後者のような陸上競技で使用されるストップウォッチとしては、例えば特許文献１のものが知られている。
【特許文献１】特開平８−１８４６８５号公報
【発明の開示】
【発明が解決しようとする課題】
【０００３】
しかしながら、上記のような測定方法では、刻々と変わる表示時間を読み上げるために、間違いを犯しやすい。また、読み上げられた時間は、生徒自身や選手自身が覚えておいたり第三者が書き留めたりする必要があるため、曖昧なものとなりやすい。また、順位をつけるためには、全ての測定時間を申告させて順番に並べる必要があるため、面倒であり、また、不正確になりやすい。
【０００４】
本発明は、２つ以上の計測対象が、同時に作業を開始し、個々に作業を終了する場合において、計測対象の各々が要した作業時間を、簡単且つ正確に測定できる、時間測定プログラム及び時間測定装置を提供することを目的としている。
【課題を解決するための手段】
【０００５】
請求項１記載の発明は、２つ以上の計測対象が、同時に作業を開始し、個々に作業を終了する場合において、計測対象の各々が要した作業時間を、測定するために、コンピュータを、特定の手段として機能させる、時間測定プログラムであって、上記特定の手段が、入力手段からの作業開始の入力を受けると、時間の計測を開始して経過時間を計測し続ける、経過時間計測手段と、経過時間計測手段により計測される時間を、出力手段に表示させる、経過時間表示手段と、入力手段からの作業終了の入力を受ける毎に、該入力の受付順位を取得すると共に、作業開始から当該入力時点までの時間を、当該計測対象が要した作業時間として、経過時間計測手段から取得する、作業時間取得手段と、作業時間取得手段により取得された作業時間を、受付順に並べて出力手段に表示させる、第１作業時間表示手段と、であることを特徴としている。
【０００６】
請求項２記載の発明は、２つ以上の計測対象が、同時に作業を開始し、個々に作業を終了する場合において、計測対象の各々が要した作業時間を、測定するための、特定の手段を備えた、時間測定装置であって、上記特定の手段が、入力手段からの作業開始の入力を受けると、時間の計測を開始して経過時間を計測し続ける、経過時間計測手段と、経過時間計測手段により計測される時間を、出力手段に表示させる、経過時間表示手段と、入力手段からの作業終了の入力を受ける毎に、該入力の受付順位を取得すると共に、作業開始から当該入力時点までの時間を、当該計測対象が要した作業時間として、経過時間計測手段から取得する、作業時間取得手段と、作業時間取得手段により取得された作業時間を、受付順に並べて出力手段に表示させる、第１作業時間表示手段と、であることを特徴としている。
【０００７】
請求項３記載の発明は、請求項１又は２に記載の時間測定プログラム又は時間測定装置において、上記特定の手段が、更に、作業時間取得手段で取得されたばかりの現在の受付順位及び作業時間と、その直前に取得されていた受付順位及び作業時間とを、第１作業時間表示手段による表示とは区別して、出力手段に表示させる、第２作業時間表示手段であるものである。
【０００８】
請求項４記載の発明は、請求項１又は２に記載の時間測定プログラム又は時間測定装置において、上記特定の手段が、更に、全計測対象について取得された受付順位及び作業時間からなる測定データを、該測定データが得られる毎に、作業時間取得手段から取得して、記憶手段に自動的に記憶させるものであって、そのような測定データを、漸次更新しながら、２以上の所定個数だけ記憶手段に記憶させる、第１記憶制御手段であるものである。
【０００９】
請求項５記載の発明は、請求項４記載の時間測定プログラム又は時間測定装置において、上記特定の手段が、更に、入力手段からの呼出命令の入力を受けると、第１記憶制御手段によって記憶手段に記憶された測定データを、呼び出して出力手段に表示させる、データ表示手段であるものである。
【００１０】
請求項６記載の発明は、請求項１又は２に記載の時間測定プログラム又は時間測定装置において、上記特定の手段が、更に、入力手段からの記憶命令の入力を受けると、全計測対象について取得された受付順位及び作業時間からなる測定データを、作業時間取得手段から取得して、記憶手段に記憶させる、第２記憶制御手段であるものである。
【００１１】
請求項７記載の発明は、請求項１又は２に記載の時間測定プログラム又は時間測定装置において、少なくとも、作業開始の入力と、個々の作業終了の入力とを、ポインタを所定位置に合わせることなく、マウスをクリックするだけで、実行させるものである。
【発明の効果】
【００１２】
請求項１又は２に記載の発明によれば、入力手段から作業開始が入力されると、経過時間計測手段が、時間の計測を開始して経過時間を計測し続け、経過時間表示手段が、経過時間計測手段により計測される時間を、出力手段に表示させる。更に、入力手段から作業終了が入力される毎に、作業時間取得手段が、該入力の受付順位を取得すると共に、作業開始から当該入力時点までの時間を、当該計測対象が要した作業時間として、経過時間計測手段から取得し、第１作業時間表示手段が、作業時間取得手段により取得された作業時間を、受付順に並べて出力手段に表示させる。したがって、２つ以上の計測対象が、同時に作業を開始し、個々に作業を終了する場合において、計測対象の各々が要した作業時間を、簡単且つ正確に測定できる。
【００１３】
請求項３記載の発明によれば、計測対象全体において作業がどの程度まで進行しているかを一目で把握することができ、また、現在作業を終えた計測対象及びその直前に作業を終えた計測対象の、順位及び作業時間を一目で把握することができる。
【００１４】
請求項４記載の発明によれば、最新の所定個数の測定データが自動的に記憶手段に記憶されるので、最新の測定データの保存忘れを確実に防止できる。
【００１５】
請求項５記載の発明によれば、最新の所定個数の測定データを任意に選択して見ることができるので、それらの測定データを作業に活かすことができる。
【００１６】
請求項６記載の発明によれば、必要な測定データを、自動的に削除されることがないよう、確実に保存することができる。
【００１７】
請求項７記載の発明によれば、ポインタを所定位置に合わせることなく、マウス操作のみで、よそ見をしながらも、測定を行うことができるので、簡単且つ確実に測定データを得ることができる。
【発明を実施するための最良の形態】
【００１８】
本発明の時間測定装置及び時間測定プログラムは、２つ以上の計測対象が、同時に作業を開始し、個々に作業を終了する場合において、計測対象の各々が要した作業時間を、測定するためのものである。例えば、次のような例がある。但し、本発明は、当該例に限定されるものではない。
【００１９】
（例）
計測対象が例えば３０人の生徒であり、作業が例えば１００問の計算問題を解くことであり、３０人の生徒が、同時に計算問題を解き始め、個々に解き終える場合において、生徒の各々が計算問題を解くのに要した時間を、測定する。
【００２０】
図１は本発明の時間測定装置の構成要素のブロック図である。この時間測定装置１０は、制御手段１と、入力手段２と、出力手段３と、経過時間計測手段５１と、経過時間表示手段５２と、作業時間取得手段６１と、第１作業時間表示手段６２と、を主要構成要素として備えており、更に、記憶手段４と、第２作業時間表示手段６３と、第１記憶制御手段７１と、第２記憶制御手段７２と、データ表示手段８１と、を備えている。また、本発明の時間測定プログラムは、コンピュータをこれらの各手段として機能させるためのものであり、記憶手段４に記録されて用いられる。
【００２１】
なお、本発明の時間測定プログラムは、例えば、フレキシブルディスク、ＣＤ−ＲＯＭ、ＤＶＤ−ＲＯＭ、磁気テープ、ネットワークディスクなどの、コンピュータ読み取り可能な記録媒体に記録されて配布することができる。また、本発明の時間測定プログラムは、スタンドアローンのシステムだけでなく、ＬＡＮやインターネットなどのネットワーク上のサーバに置くこともできる。
【００２２】
図２は本発明の時間測定装置のハードウェア構成図である。時間測定装置１０は、コンピュータからなっており、入力手段２に相当するマウス９１及びキーボード９２と、出力手段３に相当するディスプレイ９３と、記憶手段４に相当するハードディスク９４と、制御手段１を含む上述したその他の手段に相当するＣＰＵ９５と、を備えている。更に、時間測定装置１０は、上述した記録媒体を駆動するドライブ９６も、備えている。なお、入力手段２としては、マウス９１以外のポインティングデバイス、例えば、トラックボール、トラックパッドなどを用いてもよい。
【００２３】
ハードディスク９４には、本発明の時間測定プログラムが記録媒体からドライブ９６を介してインストールされている。なお、本発明の時間測定プログラムは、インターネットなどの通信網を介してダウンロードすることにより、インストールすることもできる。
【００２４】
図３は時間測定装置１０のディスプレイ９３に表示される起動直後の画面１００である。画面１００は、操作ボタン領域１１０と、タイム領域１２０と、全体表示領域１３０と、第１個別表示領域１４１と、第２個別表示領域１４２と、を有している。図４は作動後の画面１００である。
【００２５】
次に、上記各手段の作用について説明する。
【００２６】
制御手段１は、コンピュータ全体の動作を制御する。
【００２７】
入力手段２は、作業の開始、各計測対象の作業の終了、更には、記憶命令、呼出命令を入力できるようになっている。例えば、画面１００の操作ボタン領域１１０を使用する場合には、次のようにして入力できる。すなわち、作業開始の入力は、スタートボタン１１１をクリックする。スタートボタン１１１は、作業開始のためにクリックされると、図４に示すように、ラップボタン１１２に変わる。作業終了の入力は、計測対象の各々が作業を終了する毎に、ラップボタン１１２をクリックする。記憶命令の入力は、保存ボタン１１３をクリックする。呼出命令の入力は、呼出ボタン１１４をクリックする。なお、クリックはマウス９１等を用いて行う。また、キーボード９２を使用しても入力できる。その場合には、スタートボタン、ラップボタン、保存ボタン、及び、呼出ボタンがそれぞれ割り当てられたキーを押すことにより、入力できる。更には、マウス９１のポインタを操作ボタン領域１１０から外れて位置させ、最初に左クリックすることによって作業開始を入力でき、続いて左クリックする毎に作業終了を入力できる。
【００２８】
経過時間計測手段５１は、入力手段２からの作業開始の入力を受けると、時間の計測を開始して経過時間を計測し続ける。すなわち、経過時間計測手段５１は、例えばスタートボタン１１１がクリックされると、クリックされてからの経過時間を計測し続ける。経過時間計測手段５１は、具体的には、例えば、発振回路、分周回路、及び時刻計数回路で構成することができる。その場合において、発振回路は、基準クロック信号を分周回路に出力する。分周回路は、入力された基準クロック信号を所定周波数まで分周して、時刻計数回路に出力する。時刻計数回路は、分周された信号を計数して、分及び秒を出力する。
【００２９】
経過時間表示手段５２は、経過時間計測手段５１により計測される時間を、出力手段３に表示させる。すなわち、経過時間表示手段５２は、図４に示すように、作業が開始されてからの経過時間を、タイム領域１２０に表示する。タイム領域１２０では、分及び秒が表示され、秒は１０分の１秒単位まで表示される。
【００３０】
作業時間取得手段６１は、入力手段２からの作業終了の入力を受ける毎に、該入力の受付順位を取得すると共に、作業開始から当該入力時点までの時間を、当該計測対象が要した作業時間として、経過時間計測手段５１から取得する。すなわち、作業時間取得手段６１は、例えばラップボタン１１２がクリックされる毎に、その受付順位を取得すると共に、作業開始から当該クリック時点までの時間を経過時間計測手段５１から取得する。
【００３１】
作業時間取得手段６１によれば、例えば、上記例において、全計算問題を最初に解き終えた生徒が現れた時に、ラップボタン１１２をクリックすると、受付順位１番が取得されるとともに、解き終えた時までの経過時間すなわち全計算問題を解くのに要した時間、例えば１分０５秒６が経過時間計測手段５１から取得される。次いで、全計算問題を次に解き終えた生徒が現れた時に、ラップボタン１１２をクリックすると、受付順位２番が取得されるとともに、全計算問題を解くのに要した時間、例えば１分２２秒９が経過時間計測手段５１から取得される。こうして、各生徒が全計算問題を解き終える毎に、ラップボタン１１２をクリックすると、当該生徒が何番目に解き終えたかを示す受付順位が取得されるとともに、当該生徒が全計算問題を解くのに要した時間が取得される。
【００３２】
第１作業時間表示手段６２は、作業時間取得手段６１により取得された作業時間を、受付順に並べて出力手段３に表示させる。すなわち、第１作業時間表示手段６２は、各計測対象が要した作業時間を、全体表示領域１３０に順番に並べて表示する。
【００３３】
第１作業時間表示手段６２によれば、例えば、上記例では、全体表示領域１３０の１番の欄１３１に「０１：０５．６」が表示され、２番の欄１３２に「０１：２２．９」が表示される。
【００３４】
第２作業時間表示手段６３は、作業時間取得手段６１で取得されたばかりの現在の受付順位及び作業時間と、その直前に取得されていた受付順位及び作業時間とを、第１作業時間表示手段６２による表示とは区別して、出力手段３に表示させる。
【００３５】
第２作業時間表示手段６３によれば、例えば、上記例において、全計算問題を３番目に解き終えた生徒が要した時間が１分２５秒４であり、４番目の生徒が要した時間が１分３１秒３であり、未だ５番目に解き終えた生徒が現れていない場合に、第１個別表示領域１４１に、全計算問題を解き終えたばかりの生徒の、受付順位である「４番」と作業時間である「０１：３１．３」とが表示され、第２個別表示領域１４２に、その直前に全計算問題を解き終えていた生徒の、受付順位である「３番」と作業時間である「０１：２５．４」とが表示される。そして、５番目に解き終えた生徒が現れると、第１個別表示領域１４１の表示は、「５番」とその作業時間とに更新され、第２個別表示領域１４２の表示は、「４番」と「０１：３１．３」とに更新される。
【００３６】
第１記憶制御手段７１、第２記憶制御手段７２，及びデータ表示手段８１は、本発明による一連の時間測定が少なくとも一度は終了した段階で作動するものである。
【００３７】
第１記憶制御手段７１は、全計測対象について取得された受付順位及び作業時間からなる測定データを、該測定データが得られる毎に、作業時間取得手段６１から取得して、記憶手段４に自動的に記憶させるものであって、そのような測定データを、漸次更新しながら、２以上の所定個数だけ記憶手段４に記憶させる。
【００３８】
図５は第１記憶制御手段７１によって制御される記憶手段４における自動更新データ記憶部４０の構成を示す図である。ここでは、記憶手段４に記憶させる測定データの上記所定個数を９個としている。なお、本発明では、９個に限るものではない。第１記憶制御手段７１によれば、例えば、上記例において、３０人の生徒の全てが全計算問題を解き終えたことにより得られた、１〜３０番の順位とその各々における作業時間とが、１つの測定データとして記憶手段４に記憶される。この測定データは、「最新のデータ」４１として記憶される。次に、例えば、計算問題を変えたり、生徒を変えたり、或いは何も変えなかったりして、同様にして得られた順位及び作業時間が、別の１つの測定データとして記憶手段４に記憶される。この時、この測定データは、「最新のデータ」４１として記憶され、「最新のデータ」４１として記憶されていた測定データは、「１つ前のデータ」４２として記憶される。こうして、次々と測定データが得られる毎に、得られた測定データは、「最新のデータ」４１として記憶され、「最新のデータ」４１として記憶されていた測定データは、「１つ前のデータ」４２として記憶され、「１つ前のデータ」４２として記憶されていた測定データは「２つ前のデータ」４３として記憶され、同様に、「２つ前のデータ」４３〜「７つ前のデータ」４８としてそれぞれ記憶されていた測定データは、「３つ前のデータ」４４〜「８つ前のデータ」４９としてそれぞれ記憶され、「８つ前のデータ」４９として記憶されていた測定データは、削除される。すなわち、第１記憶制御手段７１によれば、新たな測定データが得られる毎に、９個の測定データが漸次更新されながら記憶され、最古の測定データは削除される。したがって、記憶手段４には、最新の９個の測定データが常時記憶されていることとなる。
【００３９】
第２記憶制御手段７２は、入力手段２からの記憶命令の入力を受けると、全計測対象について取得された受付順位及び作業時間からなる測定データすなわち１個の測定データを、作業時間取得手段６１から取得して、記憶手段４に記憶させる。
【００４０】
第２記憶制御手段７２によれば、１つの測定データが得られた後に、例えば保存ボタン１１３をクリックすると、保存ダイアログが表示されるので、名前を入力することにより、当該測定データが記憶手段４に記憶される。
【００４１】
データ表示手段８１は、入力手段２からの呼出命令の入力を受けると、第１記憶制御手段７１によって記憶手段４に記憶された測定データを、呼び出して出力手段３に表示させる。
【００４２】
データ表示手段８１によれば、例えば、上記例において、例えば呼出ボタン１１４をクリックすると、図６に示すような呼出ダイアログ９０が表示されるので、見たい測定データの呼出ボタンをクリックすることにより、当該測定データが記憶手段４から呼び出されて出力手段３に表示される。例えば、５つ前の測定データを見たい場合には、「５つ前」ボタン９１をクリックする。
【００４３】
次に、本発明の時間測定プログラムの作動すなわち本発明の時間測定装置の作動を、上記例について、図７に示すフローチャートに基づいて、説明する。
【００４４】
時間測定プログラムを起動させると（ステップ（以下Ｓと略す）１）、図３に示す画面１００がディスプレイ９３に表示される（Ｓ２）。次に、スタートボタン１１１をクリックすると（Ｓ３）、スタートボタン１１１がラップボタン１１２に変わり（Ｓ４）、また、経過時間計測手段５１が作動を開始し、それにより、経過時間が計測される（Ｓ５）。それと同時に、経過時間表示手段５２が作動を開始し、それにより、計測される経過時間がタイム領域１２０に表示される（Ｓ６）。
【００４５】
なお、Ｓ３において、スタートボタン１１１をクリックする代わりに、マウス９１のポインタを操作ボタン領域１１０から外れて位置させ、すなわち、ポインタを所定位置に合わせることなく、マウス９１の左ボタンをクリックするだけでもよい。
【００４６】
次に、全計算問題を解き終えた生徒が現れる毎に、ラップボタン１１２をクリックする（Ｓ７）。これにより、作業時間取得手段６１が作動し、それにより、生徒の各々について、当該生徒が何番目に解き終えたかを示す受付順位が取得されるとともに、解き終えるのに要した作業時間が経過時間計測手段５１から取得される（Ｓ８）。また、同時に、取得された作業時間が、作業時間表示手段６２によって、受付順の順番で全体表示領域１３０に表示される（Ｓ９）。この際、受付順位が全生徒数である３０番であるか否かが判断され（Ｓ１０）、３０番でない場合には、Ｓ７〜Ｓ９が繰り返される。例えば、上記例においては、全計算問題を最初に解き終えた生徒が現れた時に、ラップボタン１１２をクリックすると、受付順位１番が取得されるとともに、全計算問題を解くのに要した時間である１分０５秒６が取得され、図４に示すように全体表示領域１３０の１番の欄１３１に「０１：０５．６」が表示される。次いで、全計算問題を次に解き終えた生徒が現れた時に、ラップボタン１１２をクリックすると、受付順位２番が取得されるとともに、全計算問題を解くのに要した時間である１分２２秒９が取得され、２番の欄１３２に「０１：２２．９」が表示される。こうして、全計算問題を解き終えた生徒が順次現れる毎に、ラップボタン１１２をクリックすると、順次現れた生徒の、全計算問題を解くのに要した時間が、全体表示領域１３０に順番に表示される。
【００４７】
なお、Ｓ７において、ラップボタン１１２をクリックする代わりに、マウス９１のポインタを操作ボタン領域１１０から外れて位置させ、マウス９１の左ボタンをクリックするだけでもよい。
【００４８】
そして、受付順位が３０番になると、ストップボタン１１５をクリックする（Ｓ１１）。これにより、経過時間計測手段５１の作動が終了して、一連の時間測定が終了するとともに（Ｓ１２）、全生徒３０人に関する受付順位と作業時間とからなる１個の測定データが得られたこととなる。それと同時に、第１記憶制御手段７１が作動し、それにより、得られた１個の測定データが記憶手段４に自動的に記憶される（Ｓ１３）。この測定データは、「最新のデータ」として、記憶される。
【００４９】
なお、Ｓ１１において、ストップボタン１１５をクリックする代わりに、マウス９１のポインタを操作ボタン領域１１０から外れて位置させ、マウス９１の右ボタンを所定時間例えば０．５秒以上押し続けるだけでもよい。
【００５０】
そして、時間測定プログラムを終了させる場合には、終了ボタン１１６をクリックする（Ｓ１４）。或いは、画面１００をクリアにして、別の時間測定を行いたい場合には、クリアボタン１１７をクリックすることにより、又は、マウス９１の右ボタンを所定時間例えば０．５秒以上押し続ける（Ｓ１５）。
【００５１】
なお、Ｓ３からＳ１１までの作動中においては、操作ボタン領域１１０のラップボタン１１２及びストップボタン１１５の２つのボタン以外のボタンはクリックしても作動しないようになっている。これにより、測定作動を誤らせる作動を防止できる。
【００５２】
以上のように、本発明の時間測定プログラム又は時間測定装置は、上記例においては、３０人の生徒が、１００問の計算問題を同時に解き始め、個々に解き終えた場合において、生徒の各々が計算問題を解くのに要した時間（作業時間）を、ラップボタン１１２をクリックすることによって、続けて個々に測定でき、早く解き終えた生徒から順番に当該作業時間をディスプレイ９３に表示することができる。したがって、多数の生徒を同時に対象とした計算学習であって、各生徒の計算速度データを得ることによって生徒に興味を持たせることのできる計算学習を、簡単且つ確実に行うことができる。
【００５３】
すなわち、本発明の時間測定プログラム又は時間測定装置によれば、入力手段２から作業開始が入力されると、経過時間計測手段５１が、時間の計測を開始して経過時間を計測し続け、経過時間表示手段５２が、経過時間計測手段により計測される時間を、出力手段３に表示させる。更に、入力手段２から作業終了が入力される毎に、作業時間取得手段６１が、該入力の受付順位を取得すると共に、作業開始から当該入力時点までの時間を、当該計測対象が要した作業時間として、経過時間計測手段５１から取得し、第１作業時間表示手段６２が、作業時間取得手段６１により取得された作業時間を、受付順に並べて出力手段３に表示させる。したがって、２つ以上の計測対象が、同時に作業を開始し、個々に作業を終了する場合において、計測対象の各々が要した作業時間を、簡単且つ正確に測定して表示することができる。
【００５４】
更に、本発明の時間測定プログラム又は時間測定装置では、上記Ｓ７〜Ｓ９と並列的に、第２作業時間表示手段６３が作動し、それにより、作業時間取得手段６１で取得されたばかりの現在の受付順位及び作業時間が第１個別表示領域１４１に表示されるとともに、その直前に取得されていた受付順位及び作業時間が第２個別表示領域１４２に表示される。例えば、上記例において、現時点で、全計算問題を４番目に解き終えた生徒が現れると、「４番」とその作業時間である「０１：３１．３」とが第１個別表示領域１４１に表示され、３番目に解き終えた生徒に関する「３番」とその作業時間である「０１：２５．４」とが第２個別表示領域１４２に表示される。次に、５番目に解き終えた生徒が現れると、「５番」とその作業時間とが第１個別表示領域１４１に表示され、「４番」とその作業時間とが第２個別表示領域１４２に表示される。そして、同様にして、最後である３０番目の生徒が解き終えると、「３０番」とその作業時間とが第１個別表示領域１４１に表示され、「２９番」とその作業時間とが第２個別表示領域１４２に表示される。
【００５５】
これにより、生徒全体において作業がどの程度まで進行しているかを一目で把握することができ、また、現在解き終えた生徒及びその直前に解き終えた生徒の、順位及び作業時間を一目で把握することができる。
【００５６】
以上のように、一連の時間測定が一度終了すると、全計測対象に関する受付順位と作業時間とからなる１個の測定データが得られることとなる。
【００５７】
このような時間測定を、計測対象や作業内容を変えて或いは変えないで、繰り返し行うと、そのたびに、上記と同様にして、測定データが得られる。そのような状況において、本発明の時間測定プログラム又は時間測定装置では、第１記憶制御手段７１が作動し、それにより、現在得られた１個の測定データが、「最新のデータ」４１として、記憶手段４のデータ記憶部４０に記憶される。このとき、既に「最新のデータ」４１として記憶されている測定データがあると、それは、「１つ前のデータ」４２として記憶される。また、既に「１つ前のデータ」４２として記憶されている測定データがあると、それは、「２つ前のデータ」４３として記憶される。同様に、既に「２つ前のデータ」４３〜「７つ前のデータ」４８としてそれぞれ記憶されている測定データがあると、それは、「３つ前のデータ」４４〜「８つ前のデータ」４９としてそれぞれ記憶される。そして、既に「８つ前のデータ」４９として記憶されている測定データがあると、それは、削除される。このようにして、新たな測定データが得られると、当該測定データは、「最新のデータ」４１として、記憶手段４に記憶され、既に記憶されている測定データは、漸次更新されて記憶され、それとともに、測定データの記憶個数が、記憶手段４に予め定められている記憶個数、ここでは９個、を越える場合には、既に記憶されている測定データの内の最古のものが削除される。
【００５８】
これによれば、最新の９個目までの測定データが自動的に記憶手段４に記憶されるので、最新の測定データの保存忘れを確実に防止できる。
【００５９】
そして、本発明の時間測定プログラム又は時間測定装置では、入力手段２からの呼出命令が入力されると、データ表示手段８１が作動し、それにより、第１記憶制御手段７１によって記憶手段４に記憶された測定データの内の任意の測定データが、選択され呼び出されて出力手段３に表示される。すなわち、例えば呼出ボタン１１４をクリックすると、データ表示手段８１が作動し、それにより、図６に示すような呼出ダイアログ９０が表示され、見たい測定データの呼出ボタンをクリックすると、当該測定データが記憶手段４から呼び出されてディスプレイ９３に表示される。例えば、２つ前の測定データを見たい場合には、「２つ前のデータの呼出」ボタン９２をクリックする。
【００６０】
これによれば、最新の９個目までの測定データを任意に選択して見ることができるので、それらの測定データを作業に活かすことができる。
【００６１】
なお、得られた測定データは、第１記憶制御手段７１によって自動的に記憶手段４に記憶されるが、漸次更新されていき、ついには削除されてしまう。そこで、測定データを削除されないよう保存するために、本発明の時間測定プログラム又は時間測定装置では、入力手段２からの記憶命令が入力されると、第２記憶制御手段７２が作動し、それにより、上述のようにして得られた１個の測定データを、作業時間取得手段６１から取得して、記憶手段４に記憶させる。すなわち、例えば保存ボタン１１３をクリックすると、保存ダイアログが表示されるので、名前を入力することにより、当該測定データが記憶手段４に記憶される。
【００６２】
これによれば、必要な測定データを、自動的に削除されることがないよう、確実に保存することができる。
【００６３】
なお、上述の実施形態では、作業の例として、計算問題を解くことを挙げて、説明したが、作業の例としては、これに限るものではなく、例えば、多数の陸上長距離選手が同時にスタートして個々にゴールする場合などを挙げることもできる。
【００６４】
更に、本発明の時間測定プログラム及び時間測定装置は、次のように作動することもできる。
【００６５】
（１）印刷ボタン１１８をクリックすると、画面１００に表示されている測定データを印刷することができる。
【００６６】
（２）上記Ｓ７〜Ｓ９の間に、ストップボタン１１５を押すことにより、又は、マウス９１の右ボタンを所定時間例えば０．５秒以上押し続けることにより、時間測定を終了することができる。
【００６７】
（３）計測対象が多いためにディスプレイ９３上の全体表示領域１３０に一部の計測対象の作業時間が見えていない場合において、スクロールボタン１１９を押すことにより、全体表示領域１３０の全ての表示を見ることができる。
【産業上の利用可能性】
【００６８】
本発明は、２つ以上の計測対象が、同時に作業を開始し、個々に作業を終了する場合において、計測対象の各々が要した作業時間を、簡単に測定できるので、産業上の利用価値が大である。
【図面の簡単な説明】
【００６９】
【図１】本発明の時間測定装置の構成要素のブロック図である。
【図２】本発明の時間測定装置のハードウェア構成図である。
【図３】本発明の時間測定装置のディスプレイに表示される起動直後の画面である。
【図４】本発明の時間測定装置のディスプレイに表示される作動後の画面である。
【図５】本発明の第１記憶制御手段によって制御される記憶手段における自動更新データ記憶部の構成を示す図である。
【図６】本発明の呼出ダイアログを示す図である。
【図７】本発明の作動を示すフローチャートである。
【符号の説明】
【００７０】
２  入力手段  ３  出力手段  ４  記憶手段  １０  時間測定装置  ５１  経過時間計測手段  ５２  経過時間表示手段  ６１  作業時間取得時間  ６２  第１作業時間表示手段  ６３  第２作業時間表示手段  ７１  第１記憶制御手段  ７２  第２記憶制御手段  ８１  データ表示手段
【図１】
2006078207.tif 000003
【図２】
2006078207.tif 000004
【図３】
2006078207.tif 000005
【図４】
2006078207.tif 000006
【図５】
2006078207.tif 000007
【図６】
2006078207.tif 000008
【図７】
2006078207.tif 000009